(57)【要約】【課題】ジェット音などの音自体の発生を抑制することで、ジェット音などを原因とする通気管からの発生音量を抑制できる消音及び冷却設備を提供する。【解決手段】消音及び冷却設備１〜３は、第１横方向通気管２０と、この第１横方向通気管２０と連通し、上側から下側へ向けて高温の排ガスが通過する第１縦方向通気管２２と、を含んで構成されている。第１縦方向通気管２２には、この第１縦方向通気管２２の内面に液体流れ膜４０を形成するための、冷却水噴出装置が設けられている。形成された液体流れ膜４０により第１縦方向通気管２０を通過する排ガスの音場が変化し、ジェット音などの音自体の発生を抑制できる。音自体の発生が抑制できるため、ジェット音などを原因とする通気管からの発生音を小さくできる。このため消音及び冷却設備の設置コストを抑えることができる。【選択図】図１
2019173778.tif 000002
【特許請求の範囲】
【請求項１】
上側から下側へ向けて高温の排ガスが通過する第１縦方向通気管を含んで構成され、
前記第１縦方向通気管には、該第１縦方向通気管の内面に液体流れ膜を形成するための、冷却水噴出装置が設けられている、
ことを特徴とする消音及び冷却設備。
【請求項２】
前記第１縦方向通気管と前記第１縦方向通気管の下流側で連通し、下側から上側に向けて前記排ガスが通過する第２縦方向通気管が設けられている、
ことを特徴とする請求項１記載の消音及び冷却設備。
【請求項３】
前記第２縦方向通気管の内部には前記排ガスが通過する多孔板が設けられている、
ことを特徴とする請求項２記載の消音及び冷却設備。
【請求項４】
前記冷却水噴出装置を構成する横方向冷却水噴出装置が、
前記第１縦方向通気管の側面に２以上設けられており、
前記第１縦方向通気管の周上に等分の角度になるように配置されている、
ことを特徴とする請求項１から３のいずれかに記載の消音及び冷却設備。
【請求項５】
前記冷却水噴出装置を構成する縦方向冷却水噴出装置が、
前記第１縦方向通気管の上部に設けられている、
ことを特徴とする請求項１から４のいずれかに記載の消音及び冷却設備。
【請求項６】
前記冷却水噴出装置が、
噴霧角度９０度のスプレーノズルである、
ことを特徴とする請求項１から５のいずれかに記載の消音及び冷却設備。
【発明の詳細な説明】
【技術分野】
【０００１】
本発明は、消音及び冷却設備に関する。さらに詳しくは、内部を通過する高温の排ガスの騒音を低減する消音及び冷却設備に関する。
【背景技術】
【０００２】
オートクレーブは、内部を高圧にすることが可能な耐圧性の容器であり、滅菌処理または炭素繊維強化プラスチックなどの複合材の成形、人工スレートなどのコンクリートの養生で使用されている。一方でオートクレーブは、水熱反応の反応容器として、ニッケル酸化鉱石または、ニッケルとコバルトの混合硫化物（Ｍｉｘｅｄ  Ｓｕｌｆｉｄｅ、以下本明細書ではＭＳと称することがある）の加圧浸出に使用されている。特許文献１では、ＭＳを製造するためのニッケル酸化鉱石の高圧酸浸出法（ＨＰＡＬ：Ｈｉｇｈ Ｐｒｅｓｓｕｒｅ Ａｃｉｄ Ｌｅａｃｈｉｎｇ）で使用されているオートクレーブが開示されている。このオートクレーブ内では、内部に貯留されたスラリーが、撹拌機により撹拌されることで、内部で行われる浸出反応が促進されている。
【０００３】
高圧酸浸出法で製造されたＭＳは、その後別の加圧浸出工程に付される。ＭＳの加圧浸出工程は、高温・高圧状態のＭＳのスラリー中に空気を吹き込み、撹拌して空気中の酸素とＭＳとを反応させることにより、硫酸ニッケルまたは硫酸コバルトとして浸出する工程である。この加圧浸出工程で用いられるオートクレーブは、隔壁により複数の反応室に分けられており、スラリーが供給される上流側の反応室から、浸出した硫酸ニッケル等が排出される下流側の反応室へ、内部のスラリーが順次流れている。そして、最下流側の反応室から浸出された硫酸ニッケル等を含むスラリーが排出管を通じて内部圧力により排出される。排出されたスラリーは、フラッシュタンクと呼ばれる降温降圧装置にて常圧に減圧され冷却された後、スラリーと排ガスに分離されて排出される。また、オートクレーブ内の圧力を制御するため、オートクレーブの気相部からは圧力調節弁を介して高温高圧の排ガスが排気される。
【先行技術文献】
【特許文献】
【０００４】
【特許文献１】特開２０１４−８８６２０号公報
【発明の概要】
【発明が解決しようとする課題】
【０００５】
加圧浸出工程からの上記排ガスは、高圧かつ水分が飽和した１００℃を超える高温のガスである。この高温高圧の排ガスは、冷却設備が備えられた通気管内で、８０℃程度に冷却される。冷却された排ガスは、微量に含有される酸ミストなどを取り除く処理設備で処理され、大気中に放出される。通気管内を通過する高温の排ガスは、急激に減圧されたり、飽和した水分が冷却により凝縮したりすることにより、体積が急激に変化するため、通気管内でジェット音などによる騒音が発生する原因となる。このジェット音などを原因とする通気管からの発生音量を小さくするために、従来は、通気管の外に遮音材を巻きつけていたが、ジェット音などが通気管内で反響し、通気管内を排ガスの流送方向に伝播するため、広範囲に遮音施工をする必要があった。このため、遮音設備が大掛かりとなり、遮音設備に対し費用を多く費やす必要があった。
【０００６】
本発明は上記事情に鑑み、ジェット音などの音自体の発生を抑制することで、ジェット音などを原因とする通気管からの発生音量を抑制できる消音及び冷却設備を提供することを目的とする。
【課題を解決するための手段】
【０００７】
第１発明の消音及び冷却設備は、上側から下側へ向けて高温の排ガスが通過する第１縦方向通気管を含んで構成され、前記第１縦方向通気管には、該第１縦方向通気管の内面に液体流れ膜を形成するための、冷却水噴出装置が設けられていることを特徴とする。
第２発明の消音及び冷却設備は、第１発明において、前記第１縦方向通気管と前記第１縦方向通気管の下流側で連通し、下側から上側に向けて前記排ガスが通過する第２縦方向通気管が設けられていることを特徴とする。
第３発明の消音及び冷却設備は、第２発明において、前記第２縦方向通気管の内部には前記排ガスが通過する多孔板が設けられていることを特徴とする。
第４発明の消音及び冷却設備は、第１発明から第３発明のいずれかにおいて、前記冷却水噴出装置を構成する横方向冷却水噴出装置が、前記第１縦方向通気管の側面に２以上設けられており、前記第１縦方向通気管の周上に等分の角度になるように配置されていることを特徴とする。
第５発明の消音及び冷却設備は、第１発明から第４発明のいずれかにおいて、前記冷却水噴出装置を構成する縦方向冷却水噴出装置が、前記第１縦方向通気管の上部に設けられていることを特徴とする。
第６発明の消音及び冷却設備は、第１発明から第５発明のいずれかにおいて、前記冷却水噴出装置が、噴霧角度９０度のスプレーノズルであることを特徴とする。
【発明の効果】
【０００８】
第１発明によれば、第１縦方向通気管には、冷却水噴出装置により第１縦方向通気管の内面に液体流れ膜が形成されるので、第１縦方向通気管を通過する排ガスの音場が変化し、ジェット音など音自体の発生を抑制できる。音自体の発生が抑制できるため、ジェット音などを原因とする通気管からの発生音を小さくできる。
第２発明によれば、下側から上側に向けて排ガスが通過する第２縦方向通気管が設けられていることにより、消音及び冷却設備の下流側に、排ガスと一緒に冷却水が持ち出されるのを抑制できる。
第３発明によれば、第２縦方向通気管の内部に排ガスが通過する多孔板が設けられていることにより、より冷却水の持ち出しを抑制できる。
第４発明によれば、冷却水噴出装置を構成する横方向冷却水噴出装置が、第１縦方向通気管の周上に等分の角度になるように設けられていることにより、液体流れ膜がより均等に形成される。これによりジェット音自体の発生がより抑制される。
第５発明によれば、冷却水噴出装置が、第１縦方向通気管の上部に設けられていることにより、液体流れ膜を第１縦方向通気管のより上部から形成することができるので、第１縦方向通気管を通過する排ガスの音場が変化し、ジェット音などの音自体の発生がさらに抑制される。
第６発明によれば、冷却水噴出装置が噴霧角度９０度のスプレーノズルであることにより、流体流れ膜が、さらにより均等に形成される。これによりジェット音自体の発生が、さらに抑制される。
【図面の簡単な説明】
【０００９】
【図１】本発明の第１実施形態に係る消音及び冷却設備の正面図である。
【図２】図１の消音及び冷却設備を構成する第１縦方向通気管の水平断面図である。
【図３】本発明の第２実施形態に係る消音及び冷却設備の正面図である。
【図４】本発明の第３実施形態に係る消音及び冷却設備の正面図である。
【図５】図４の消音及び冷却設備を構成する第１縦方向通気管の水平断面図である。
【図６】図１の消音及び冷却設備が設けられている加圧浸出システムの説明図である。
【発明を実施するための形態】
【００１０】
つぎに、まず硫酸ニッケルの製造プロセスについて説明した後、この製造プロセスのオートクレーブの排気側に用いられている、本発明の実施形態に係る消音及び冷却設備１〜３を図面に基づき説明する。硫酸ニッケルの製造プロセスでは、原料としてＭＳを加圧浸出処理するためにオートクレーブ１１が使用されている。ただし、以下に示す実施の形態は、本発明の技術思想を具体化するための消音及び冷却設備を例示するものであって、本発明は消音及び冷却設備を以下のものに特定しない。なお、各図面が示す部材の大きさまたは位置関係等は、説明を明確にするため誇張していることがある。
【００１１】
（硫酸ニッケルの製造プロセス）
硫酸ニッケルの原料としてＭＳが用いられる。このＭＳは低ニッケル品位のニッケル酸化鉱石を加圧酸浸出し、加圧酸浸出液から鉄などの不純物を除去した後、ニッケルイオンおよびコバルトイオンを含む浸出液に硫化水素ガスを吹き込む湿式硫化反応などによって得られたものである。ニッケル・コバルト混合硫化物の主成分はＮｉＳ等の硫化物である。
【００１２】
上記ＭＳに対して、レパルプ工程が実施される。このレパルプ工程において、ＭＳは水などによりレパルプされスラリーとなる。レパルプ工程では、固体粉末状のＭＳをレパルプ槽に投入し、水とともに混合、撹拌してスラリーを製造する。スラリーは、オートクレーブ１１に装入され加圧浸出に供される。
【００１３】
つぎに、加圧浸出工程が実施される。この加圧浸出工程では、オートクレーブ１１によって混合硫化物に含まれるニッケルおよびコバルトが高圧空気により浸出される。例えば、オートクレーブ１１に装入されるスラリーの固形分濃度は２００〜３００ｇ／Ｌ、流量は５０〜１００L／分である。オートクレーブ内の温度は１５０〜２２０℃、圧力はゲージ圧で１．７〜２．３ＭＰａである。
【００１４】
オートクレーブ１１からは硫酸ニッケルと硫酸コバルトとの混合水溶液である加圧浸出液が排出される。加圧浸出液は、固体分である浸出残渣を含んだスラリー状である。加圧浸出液は降圧、冷却された後に次工程に供給され、硫酸ニッケルの製造に用いられる。オートクレーブ１１から排出される加圧浸出液は、降温降圧装置（フラッシュタンク５０）に圧送される（図６参照）。フラッシュタンク５０では、加圧浸出液が大気圧まで減圧され、１００℃以下の水溶液となる。その際、大量の水蒸気が発生し、それが加圧浸出工程からの排ガスとして処理される。加圧浸出液は、不純物を除去するため、次工程である浄液工程に送られる。一方、オートクレーブ１１内の圧力を制御するため、オートクレーブ１１の気相部からは、サイクロン５２を経由して圧力調節弁５３から高温高圧の排ガスが排出される。この排ガスも、加圧浸出工程からの排ガスとして処理される。これら高温高圧の排ガスは、本発明にかかる消音及び冷却設備１〜３にて、温度が８０℃前後に冷却される。また、消音及び冷却設備で処理されたあとの排ガスの圧力は大気圧である。
【００１５】
（加圧浸出システム）
図６には、本発明の第１実施形態に係る消音及び冷却設備１が設けられている加圧浸出システムの説明図を示す。加圧浸出システムは、加圧浸出容器の一つであるオートクレーブ１１と、このオートクレーブ１１からの排ガスを冷却する消音及び冷却設備１と、冷却された排ガス中の酸性の成分などを処理する処理設備１８と、を含んで構成されている。図６では排ガスの流れを白抜き矢印で示しており、原則として図６の紙面上左から右へ排ガスは流れている。
【００１６】
（オートクレーブ１１）
オートクレーブ１１の本体１２は、両端に鏡板を有する円筒体であり、その軸心を水平に配置する構成である。本体１２は、スラリーを酸化浸出する反応容器であり、本体１２内は、複数の反応室に、隔壁により区画化されている。
【００１７】
図６においては、ＭＳのスラリーが左側からスラリーの供給管（不図示）により供給され、左から右に向けて、このスラリーが移動し、スラリーの排出管により、このスラリーは本体１２から排出される。
【００１８】
各反応室では、吹込空気管１５により高圧空気が供給され、空気中の酸素とＭＳとが反応する。また吹込空気管１５の排出口近傍には、タービン翼を供えた撹拌機１４が備えられており、所定の回転数で高速回転し、それぞれの反応室内で、吹込まれた空気をせん断し微細化して、気体と、液体および固体の反応界面積を増加させると共に、スラリーを撹拌させ、酸素とＭＳとの反応を促進している。オートクレーブ１１からレベル調節弁５１によって排出される加圧浸出液は、オートクレーブ１１の気相部の圧力から加圧浸出液の飽和蒸気圧を減じた差圧によってフラッシュタンク５０に圧送される。フラッシュタンク５０では、加圧浸出液が大気圧まで減圧され、１００℃以下の水溶液となる。その際、大量の水蒸気が発生し、それが加圧浸出工程からの排ガスとして処理される。一方、オートクレーブ１１内の圧力を制御するため、オートクレーブ１１の気相部からは、サイクロン５２を経由して圧力調節弁５３から高温高圧の排ガスが排出される。この排ガスも、加圧浸出工程からの排ガスとして処理される。
【００１９】
（第１実施形態に係る消音及び冷却設備１）
図１は、本発明の第１実施形態に係る消音及び冷却設備１の正面図であり、図２は、消音及び冷却設備１の、図１のII−II矢視での水平断面図である。図１の紙面における上下は、実際の消音及び冷却設備１の上下と一致している。図１では、排ガスの流れは、白抜き矢印で示しており、排ガスは左側から右側へ向けて流れ、第２縦方向通気管２３を出たところでは上向きに流れている。本明細書では、排ガスの流れを基準として上流側、下流側と称することがある。また、理解が容易にできるように、図１では第１縦方向通気管２２から下流側に位置する部材は、断面図として表示されている。
【００２０】
各実施形態に係る消音及び冷却設備１〜３は、排ガスを水平位置が異なる別の地点に導く横方向通気管と、排ガスを鉛直位置が異なる別の地点に導く縦方向通気管と、を組み合わせて構成されている。本明細書では、複数の横方向通気管、および複数の縦方向通気管について説明があるが、「第１」などの順序表示をつけた横方向通気管（たとえば「第１横方向通気管２０」）を包括して横方向通気管と称し、同じように「第１」などの順序表示をつけた縦方向通気管（たとえば「第１縦方向通気管２２」）を包括して縦方向通気管と称することがある。
【００２１】
また、横方向通気管の軸心は水平である必要はなく、横方向通気管は、その軸心と水平面との間の角度のうち、小さいほうの角度が０度以上４５度以下の通気管を含む。これに対し縦方向通気管の軸心は厳密に鉛直である必要はなく、縦方向通気管は、その軸心と水平面との間の角度のうち、小さいほうの角度が７５度以上９０度以下の通気管を含む。
【００２２】
本実施形態にかかる消音及び冷却設備１を構成する横方向通気管、および縦方向通気管の材料は、内部を通過する排ガスの性質によって異なる。消音及び冷却設備１がオートクレーブ１１の排ガス側に設けられている場合、この排ガスは腐食性のミストを含んでいることからＳＵＳ３１６Ｌが好適に用いられる。
【００２３】
本実施形態の消音及び冷却設備１は、第１横方向通気管２０と、この第１横方向通気管２０と連通している第１縦方向通気管２２と、を含んで構成されている。本実施形態では、第１横方向通気管２０の軸心は水平面内にあり、第１縦方向通気管２２の軸心は鉛直面内にある。第１縦方向通気管２２は、この上部分で第１横方向通気管２０と連通している。なお第１横方向通気管２０と第１縦方向通気管２２とは直接連通している必要はなく、他の部材を挟んで連通している場合もある。
【００２４】
本実施形態では、第１縦方向通気管２２には、第１縦方向通気管２２の内面に液体流れ膜４０を形成するための冷却水噴出装置が設けられている。本実施形態では、冷却水噴出装置は、水平方向、すなわち第１縦方向通気管２２の内面と垂直な方向に冷却水の大部分を噴出する横方向冷却水噴出装置２６である。図２に示すように、横方向冷却水噴出装置２６から噴出する冷却水は、横方向冷却水噴出装置２６から出た後、水平面内で広がり、図２の水平断面において、第１縦方向通気管２２の内面の半分以上の部分に降りかかる。降り注がれた冷却水は、第１縦方向通気管の内面を流れ落ちる。この流れ落ちる冷却水により、液体流れ膜４０が形成される。また、この横方向冷却水噴出装置２６は、一般に市販されているスプレーノズルを使用することができる。本実施形態では、水平面内のみに拡散するスプレーノズルを示したが、噴霧角度９０度で全周方向に拡散するスプレーノズルであることが、より好ましい。噴霧角度９０度で全周方向に拡散するスプレーノズルとすることにより、液体流れ膜が、さらにより均等に形成される。これによりジェット音自体の発生が、さらにより抑制される。
【００２５】
液体流れ膜４０は、第１縦方向通気管の内面のすべてに形成されることが望ましい。しかし、本実施形態のように、水平断面において、縦方向通気管の軸心を中心とした円を考えたときに、液体流れ膜４０により形成される角度θが１８０度以上、もしくは少なくとも９０度の角度以上あれば音場を変化させることができる。
【００２６】
第１縦方向通気管２２は、この下部分で第２横方向通気管２１と連通している。第１縦方向通気管２２の下端には冷却水排出口２７が設けられている。この冷却水排出口２７は、必要に応じて開閉され、液体流れ膜４０を形成していた冷却水などが設備外へ排出される。排出口２７は直下に貯留槽を据えるなどして液封することで、常時開放状態としても良い。また、排出口２７から抜き取った冷却水は、プレート式熱交換器などの熱交換器により冷却し、横方向冷却水噴出装置２６に繰り返すようにすることが好ましい。
【００２７】
第１縦方向通気管２２と第２横方向通気管２１との連結部分の上側には、第１縦方向通気管２２内の下側に向けて水平面と４５度の角度を持った下部張出板３０が設けられている。この下部張出板３０により、液体流れ膜４０を形成していた冷却水が第２横方向通気管２１のほうへ流れるのを抑制でき、冷却水が冷却水排出口２７へ導かれる。
【００２８】
第２横方向通気管２１は、一方の端部で第１縦方向通気管２２と直接連通するとともに、他方の端部で第２縦方向通気管２３と直接連通している。すなわち第２縦方向通気管２３は、第２横方向通気管２１を介して、第１縦方向通気管２２と連通している。そして第２縦方向通気管２３内では、排ガスは下側から上側へ流れている。
【００２９】
第２縦方向通気管２３は、上側に位置する上側部材２３ａと、下側に位置する下側部材２３ｂとを組み合わせて構成されている。そして上側部材２３ａと下側部材２３ｂとの間には、排ガスが通過可能な多数の孔が設けられている多孔板３１が設けられている。多孔板３１の材質は、通気管の材質と同じである。また第２縦方向通気管２３においても、第１縦方向通気管２２と同様、下端に冷却水排出口２７が設けられているとともに、下部張出板３２が設けられている。この下部張出板３２により多孔板３１などから落下する冷却水が冷却水排出口２７へ導かれる。
【００３０】
消音及び冷却設備１を構成する通気管には、適宜通気管の中の温度等を測定するための測定口２８が設けられている。本実施形態では、第１横方向通気管２０に１箇所、第２縦方向通気管２３に２箇所の測定口２８が設けられている。
【００３１】
上記の構成により、本実施形態の消音及び冷却設備１は以下の効果を奏する。
（１）第１縦方向通気管２２には、第１縦方向通気管２２の内面に液体流れ膜４０を形成するための冷却水噴出装置が設けられていることにより、第１縦方向通気管２２を通過する排ガスの音場が変化し、ジェット音自体の発生を抑制できる。すなわちジェット音は、圧力が開放されることにより生じる流れ、およびこの流れが置かれた音場の関係から発生するところ、液体流れ膜４０により音場の状態が変化し、共鳴などが抑制されることで、ジェット音自体の発生が抑制される。このことから、ジェット音を原因とする通気管からの発生音を小さくできる。このため、通気管に設けていた遮音設備の設置コストを抑えることができる。
【００３２】
（２）下側から上側に向けて排ガスが通過する第２縦方向通気管２３が設けられていることにより、消音及び冷却設備１の下流側に、排ガスと一緒に冷却水が持ち出されるのを抑制できる。また、第２縦方向通気管の内部に排ガスが通過する多孔板３１が設けられていることにより、より冷却水の持ち出しを抑制できる。
【００３３】
（処理設備１８）
図６に示すように、消音及び冷却設備１を通過した排ガスは、処理設備１８に導かれる。オートクレーブ１１の排ガスは、酸性ミストを含んでいるため、処理設備１８において酸性ミスト成分が処理された後、大気に放出される。処理設備１８では耐薬品性を確保するため処理塔やファンの材質としてＦＲＰ（繊維強化プラスチック）等の樹脂を使用しているので、その耐熱性から高温の排ガスの処理が難しい。そこで、消音及び冷却設備１で排ガスは８０℃前後に冷却される。
【００３４】
（第２実施形態に係る消音及び冷却設備２）
図３は、本発明の第２実施形態に係る消音及び冷却設備２の正面図である。図１と同様、図３の紙面における上下は、実際の消音及び冷却設備２の上下と一致している。また図１と同様、図３では、排ガスの流れは、白抜き矢印で示している。加えて、図１と同様、図３では第１縦方向通気管２２から下流側に位置する部材は、断面図として表示されている。
【００３５】
第１実施形態の消音及び冷却設備１との相違点は、冷却水噴出装置が、第１縦方向通気管２２の上部に設けられている点である。本実施形態では、冷却水噴出装置には、横方向冷却水噴出装置２６に加えて、第１縦方向通気管２２の軸方向に冷却水の大部分を噴出する縦方向冷却水噴出装置２５が設けられている。縦方向冷却水噴出装置２５は、第１縦方向通気管２２が、その上部において、第１横方向通気管２０と結合するために曲折した部分に、下向きに設けられている。図３に示すように、縦方向冷却水噴出装置２５から噴出する冷却水は、縦方向冷却水噴出装置２５から出た後、第１縦方向通気管２２の内壁面に略均一に分散し、分散した冷却水により液体流れ膜４０が形成される。また、この縦方向冷却水噴出装置２５は、一般に市販されているスプレーノズルを使用することができる。このスプレーノズルにおいても、噴霧角度９０度で全周方向に拡散するスプレーノズルであることが、より好ましい。噴霧角度９０度で全周方向に拡散するスプレーノズルとすることにより、液体流れ膜が、さらにより均等に形成される。これによりジェット音自体の発生が、さらにより抑制される。
【００３６】
なお、本実施形態では、冷却水噴出装置は、横方向冷却水噴出装置２６と、縦方向冷却水噴出装置２５と、から構成されているが、縦方向冷却水噴出装置２５のみにより構成される場合もある。
【００３７】
冷却水噴出装置が、第１縦方向通気管２２の上部に設けられていることにより、液体流れ膜を第１縦方向通気管２２のより上部から形成することができるので、ジェット音などの音自体の発生がさらに抑制される。
【００３８】
（第３実施形態に係る消音及び冷却設備３）
図４は、本発明の第３実施形態に係る消音及び冷却設備３の正面図であり、図５は、消音及び冷却設備３の、図４のＶ−矢視での水平断面図である。図１と同様、図５の紙面における上下は、実際の消音及び冷却設備３の上下と一致している。また図１と同様、図５では、排ガスの流れは、白抜き矢印で示している。加えて、図１と同様、図５では第１縦方向通気管２２から下流側に位置する部材は、断面図として表示されている。
【００３９】
第２実施形態の消音及び冷却設備２との相違点は、冷却水噴出装置として、横方向冷却水噴出装置２６が、第１縦方向通気管の側面に２以上、具体的には４つ設けられている点である。これら４つの横方向冷却水噴出装置２６は、同一水平面内に設けられている。そして、これらの４つの横方向冷却水噴出装置２６は、第１縦方向通気管２２の軸心の上方から第１縦方向通気管２２を見たときに、横方向冷却水噴出装置２６が周上に等分の角度になるように配置されている。本実施形態では、９０度ごとに横方向冷却水噴出装置２６は配置されている。なお、これら４つの横方向冷却水噴出装置２６は、同一水平面内に設ける必要はなく、たとえば少しずつ高さが異なるように設置することができる。ただしこの場合も、周上に等分の角度になるように配置されていることが望ましい。なお横方向冷却水噴出装置２６が４つ設けられている場合について説明したが、２つまたは３つ、５つ以上設置される場合もある。
【００４０】
冷却水噴出装置が、第１縦方向通気管２２の周上に等分の角度になるように設けられていることにより、液体流れ膜がより均等に形成される。これにより第１縦方向通気管２２を通過する排ガスの音場が変化し、ジェット音自体の発生がより抑制される。
【産業上の利用可能性】
【００４１】
本発明の消音及び冷却設備１〜３が、オートクレーブなどの加圧浸出装置の排ガスを処理するために設置されて利用されている場合を説明したが、本発明の消音及び冷却設備１〜３は、他の用途、たとえばボイラーの排ガスまたは、燃焼炉の燃焼排ガスに対しても使用することができる。
【符号の説明】
【００４２】
１、２、３  消音及び冷却設備
２０  第１横方向通気管
２２  第１縦方向通気管
２５  縦方向冷却水噴出装置
２６  横方向冷却水噴出装置
３１  多孔板
【図１】
2019173778.tif 000003
【図２】
2019173778.tif 000004
【図３】
2019173778.tif 000005
【図４】
2019173778.tif 000006
【図５】
2019173778.tif 000007
【図６】
2019173778.tif 000008